(57)【特許請求の範囲】
【請求項１】
建物の出入階のエレベータ乗場に設置され、エレベータ乗場の乗客を撮影する乗場撮影手段と、
乗場撮影手段が撮影した画像を情報センタに送信する乗場画像送信手段と、
エレベータ乗場に設置され、情報センタの電子メールアドレスとそのエレベータの識別情報とが書き込まれた２次元コードを表示する２次元コード表示部と、
乗場画像送信手段から送信された画像と、２次元コード表示部の２次元コードを読み取った携帯電話から情報センタに送信された空メールと、を受信する情報センタ送受信部と、
予め登録された建物の利用者の第１の携帯電話、及び利用者により登録された来訪者の第２の携帯電話のそれぞれの識別情報を対として記憶する情報センタ記憶部と、
情報センタ送受信部が受信した空メールの携帯電話の識別情報を、情報センタ記憶部に記憶されている携帯電話の識別情報から検索し、エレベータ制御部にエレベータの動作を指示する情報センタ制御部と、
情報センタ制御部からの指示に従ってエレベータを動作させるエレベータ制御部と、を備え、
情報センタ制御部は、空メールを発信した携帯電話が情報センタ記憶部に記憶されている第２の携帯電話である場合には、情報センタ送受信部に対して、一定時間の間エレベータ乗場の画像を対となる第１の携帯電話に送信させ、情報センタ送受信部が第１の携帯電話から返信メールを受信すると、エレベータ制御部に動作指示を送信することを特徴とするエレベータ警備システム。
【請求項２】
請求項１に記載のエレベータ警備システムであって、情報センタ制御部は、空メールを発信した携帯電話が情報センタ記憶部に記憶されている第１の携帯電話である場合には、エレベータ制御部に動作指示を送信することを特徴とするエレベータ警備システム。
【請求項３】
請求項１又は２に記載のエレベータ警備システムであって、情報センタ制御部は、空メールを発信した携帯電話が情報センタ記憶部に記憶されている第１の携帯電話又は第２の携帯電話でない場合には、発信者への返信メールにより、行き先の利用者に第１の携帯電話と対となる第２の携帯電話として登録させるように要求し、空メールの携帯電話が利用者により登録された第２の携帯電話と一致した場合には、情報センタ送受信部に対して、一定時間の間エレベータ乗場の画像を第１の携帯電話に送信させることを特徴とするエレベータ警備システム。
【請求項４】
請求項３に記載のエレベータ警備システムであって、利用者は、来訪者の携帯電話からの電子メールを第１の携帯電話により情報センタに転送することで、来訪者の携帯電話を第１の携帯電話と対となる第２の携帯電話として情報センタ記憶部に記憶させることを特徴とするエレベータ警備システム。
【請求項５】
請求項１乃至４のいずれか１に記載のエレベータ警備システムであって、２次元コードには、その２次元コードが設置された階が書き込まれ、情報センタ制御部は、２次元コードを読み取った携帯電話から発信された空メールに含まれるその階にエレベータかごの乗場階の呼び登録がされたと判断してエレベータ制御部にエレベータの動作を指示することを特徴とするエレベータ警備システム。
【請求項６】
請求項１乃至５のいずれか１に記載のエレベータ警備システムであって、情報センタ制御部は、第１の携帯電話から発信された空メールについて、空メールに新たに入力された数字を呼び登録された降車階と判断し、エレベータ制御部にエレベータの動作を指示することを特徴とするエレベータ警備システム。
【請求項７】
請求項１乃至６のいずれか１に記載のエレベータ警備システムであって、情報センタ記憶部には、利用者の居住する階が第１の携帯電話の識別情報と対として記憶され、情報センタ制御部は、第２の携帯電話から発信された空メールについて、呼び登録された乗車階が出入階である場合には、第１の携帯電話と対となる階が降車階として呼び登録されたと判断し、エレベータ制御部にエレベータの動作を指示することを特徴とするエレベータ警備システム。
【請求項８】
請求項７に記載のエレベータ警備システムであって、情報センタ制御部は、第２の携帯電話から発信された空メールについて、来訪者の携帯電話により呼び登録された乗車階が利用者の居住する階である場合には、出入階が降車階として呼び登録されたと判断し、エレベータ制御部にエレベータの動作を指示することを特徴とするエレベータ警備システム。
【請求項９】
請求項１乃至８のいずれか１に記載のエレベータ警備システムであって、第１の携帯電話及び第２の携帯電話の識別情報は、それらの携帯電話の電子メールアドレスであることを特徴とするエレベータ警備システム。
【発明の詳細な説明】
【技術分野】
【０００１】
本発明は、エレベータ警備システムに係り、特に、建物の出入階のエレベータ乗場において建物の利用者への来訪者に関する警備を行うエレベータ警備システムに関する。
【背景技術】
【０００２】
建物に設置されたエレベータの乗場には、乗場の乗客を監視する監視カメラが設けられている場合がある。この監視カメラは、終日（２４時間）エレベータ乗場を撮影する。そして、撮影された画像はハードディスクに保存されて情報センタ（中央監視センタ）に送信される。
【０００３】
一般に、エレベータの乗客は、エレベータ乗場の呼び釦を押すことでエレベータに対して乗車階の呼び登録を行い、エレベータかご内部に設けられた操作盤の呼び釦を押すことで降車階の呼び登録を行う。エレベータ制御部はこの乗客の呼び登録に従ってエレベータかごを動作させる。このエレベータかごの呼び登録に関して携帯電話を用いて行う方法が考案されている。
【０００４】
例えば、特許文献１には、エレベータの制御盤に乗りかごの運行状態を把握する端末装置を接続し、エレベータ側に異常が発生した時、この端末装置を介して監視センタに発報することが開示されている。ここでは、携帯電話をこの端末装置と電話回線を介して接続し、携帯電話に乗りかごの運行状態を表示させると共に、携帯電話の操作により、電話回線を介して乗りかごのホール呼びの登録を行う。
【０００５】
また、オフィスビルやマンションなどの建物では、建物の警備システムとして、建物の利用者や来訪者が出入する出入階の出入口において入退者のチェックを行うシステムを採用する場合がある。この建物の警備システムは、例えば、ＩＤカード方式、暗証番号方式、指紋認証方式などが採用されている。
【０００６】
建物の警備という観点から、不審者は建物の出入口から出入階に設けられたエレベータを利用して各階へと侵入する場合が多い。従って、この建物の警備システムに連動したエレベータ・システムが考案されている。
【０００７】
例えば、特許文献２には、建物のセキュリティ・システムと連動したエレベータ・システムに関する発明が開示されている。登録利用者が携帯電話の表示データ（２次元バーコード）を表示データ読取手段に読取らせる。表示データ読取手段は、そのデータに含まれるＩＤ番号が登録利用者のものであることを確認すると、この登録利用者に対する入場許可信号を玄関ドア解錠指令出力手段及び乗場呼び出力手段に出力する。これにより、玄関ドアが解錠され、乗場呼び出力手段は、エレベータ制御装置に乗場呼び信号を出力する。
【０００８】
さらに、マンションなどでは、マンションの出入口にインターフォンを設け、来訪者に対しては利用者がインターフォンを通じて確認し、入口ドアのロックを解除してマンション内に誘導する方法が用いられる場合がある。
【０００９】
【特許文献１】特開２００２−３２１８７８号公報
【特許文献２】特開２００５−２８０８８２号公報
【発明の開示】
【発明が解決しようとする課題】
【００１０】
建物の警備システムとしては、建物の出入口における入退出者の警備だけではなく、建物の出入口における警備を通過した来訪者に対する警備が問題となる。例えば、オフィスビルでは、来訪者に対し、ビルの出入階ではカードに所定の事項を記入させるだけのチェックを行い、ビルの内部に入ってから打合せ先の部署に電話をかけるシステムをとる場合がある。また、１つのビルに多くの企業が入居する場合には、ビルの出入口での警備システムだけでは機能しない場合がある。従って、建物の出入階のエレベータの乗車時における独立した警備システムが望まれる。
【００１１】
また、例えば、マンションでは、訪問販売員などが建物の出入口における警備を通過して各住居にアクセスする場合があるが、訪問販売員などはエレベータに対して自由に乗車及び降車することができ、各住居者の出入口までアプローチできる。このため、マンションの住居者は、訪問販売員などを装った不審者或いは不要の者が玄関先までアプローチすることを事前に防止できない。
【００１２】
さらに、建物の利用者が来訪者による犯罪に巻き込まれた場合、来訪者を特定する証拠を残すことが難しい。
【００１３】
本願の目的は、かかる課題を解決し、建物の出入階のエレベータ乗場において簡易な方法によりエレベータの乗客を警備するシステムを提供することである。
【課題を解決するための手段】
【００１４】
上記目的を達成するため、本発明に係るエレベータ警備システムは、建物の出入階のエレベータ乗場に設置され、エレベータ乗場の乗客を撮影する乗場撮影手段と、乗場撮影手段が撮影した画像を情報センタに送信する乗場画像送信手段と、エレベータ乗場に設置され、情報センタの電子メールアドレスとそのエレベータの識別情報とが書き込まれた２次元コードを表示する２次元コード表示部と、乗場画像送信手段から送信された画像と、２次元コード表示部の２次元コードを読み取った携帯電話から情報センタに送信された空メールと、を受信する情報センタ送受信部と、予め登録された建物の利用者の第１の携帯電話、及び利用者により登録された来訪者の第２の携帯電話のそれぞれの識別情報を対として記憶する情報センタ記憶部と、情報センタ送受信部が受信した空メールの携帯電話の識別情報を、情報センタ記憶部に記憶されている携帯電話の識別情報から検索し、エレベータ制御部にエレベータの動作を指示する情報センタ制御部と、情報センタ制御部からの指示に従ってエレベータを動作させるエレベータ制御部と、を備え、情報センタ制御部は、空メールを発信した携帯電話が情報センタ記憶部に記憶されている第２の携帯電話である場合には、情報センタ送受信部に対して、一定時間の間エレベータ乗場の画像を対となる第１の携帯電話に送信させ、情報センタ送受信部が第１の携帯電話から返信メールを受信すると、エレベータ制御部に動作指示を送信する。
【００１５】
また、エレベータ警備システムは、情報センタ制御部が、空メールを発信した携帯電話が情報センタ記憶部に記憶されている第１の携帯電話である場合には、エレベータ制御部に動作指示を送信することが好ましい。
【００１６】
また、エレベータ警備システムは、情報センタ制御部が、空メールを発信した携帯電話が情報センタ記憶部に記憶されている第１の携帯電話又は第２の携帯電話でない場合には、発信者への返信メールにより、行き先の利用者に第１の携帯電話と対となる第２の携帯電話として登録させるように要求し、空メールの携帯電話が利用者により登録された第２の携帯電話と一致した場合には、情報センタ送受信部に対して、一定時間の間エレベータ乗場の画像を第１の携帯電話に送信させることが好ましい。
【００１７】
また、エレベータ警備システムは、利用者が、来訪者の携帯電話からの電子メールを第１の携帯電話により情報センタに転送することで、来訪者の携帯電話を第１の携帯電話と対となる第２の携帯電話として情報センタ記憶部に記憶させることが好ましい。
【００１８】
また、エレベータ警備システムは、２次元コードには、その２次元コードが設置された階が書き込まれ、情報センタ制御部が、２次元コードを読み取った携帯電話から発信された空メールに含まれるその階にエレベータかごの乗場階の呼び登録がされたと判断してエレベータ制御部にエレベータの動作を指示することが好ましい。
【００１９】
また、エレベータ警備システムは、情報センタ制御部が、第１の携帯電話から発信された空メールについて、空メールに新たに入力された数字を呼び登録された降車階と判断し、エレベータ制御部にエレベータの動作を指示することが好ましい。
【００２０】
また、エレベータ警備システムは、情報センタ記憶部には、利用者の居住する階が第１の携帯電話の識別情報と対として記憶され、情報センタ制御部が、第２の携帯電話から発信された空メールについて、呼び登録された乗車階が出入階である場合には、第１の携帯電話と対となる階が降車階として呼び登録されたと判断し、エレベータ制御部にエレベータの動作を指示することが好ましい。
【００２１】
また、エレベータ警備システムは、情報センタ制御部が、第２の携帯電話から発信された空メールについて、来訪者の携帯電話により呼び登録された乗車階が利用者の居住する階である場合には、出入階が降車階として呼び登録されたと判断し、エレベータ制御部にエレベータの動作を指示することが好ましい。
【００２２】
さらに、エレベータ警備システムは、第１の携帯電話及び第２の携帯電話の識別情報が、それらの携帯電話の電子メールアドレスであることが好ましい。
【発明の効果】
【００２３】
上記構成により、エレベータ警備システムは、来訪者は建物の出入階のエレベータ乗場において第２の携帯電話によりエレベータ乗場に設けられた２次元コード表示部の２次元コードを読み取って情報センタに空メールを送信する。この空メールを受信した情報センタ制御部は、情報センタ送受信部に対して、一定時間の間エレベータ乗場の画像を対となる第１の携帯電話に送信させ、情報センタ送受信部が第１の携帯電話から返信の空メールを受信すると、エレベータ制御部に動作指示を送信する。すなわち、利用者は、来訪者がエレベータに乗車する前にエレベータ乗場の画像により確認することができ、エレベータの乗車時における警備システムが可能となる。また、利用者は、情報センタ送受信部に対して第１の携帯電話から空メールを返信しないことで、来訪者のエレベータへの乗車を拒否することができ、不審者或いは不要の者が玄関先までアプローチすることを事前に防止することができる。さらに、利用者は、自分の携帯電話に来訪者の画像を記憶し、来訪者による犯罪に巻き込まれた場合に来訪者を特定する証拠として再生することができる。
【００２４】
以上のように、本発明に係るエレベータ警備システムによれば、建物の出入階のエレベータ乗場において簡易な方法によりエレベータの乗客を警備することが可能となる。
【発明を実施するための最良の形態】
【００２５】
以下に、図面を用いて本発明に係るエレベータ警備システムの実施の形態につき、詳細に説明する。
【００２６】
図１に、エレベータ警備システムの１つの実施形態の概略構成を示す。エレベータ警備システム１は、建物１３に設置されたエレベータ１４のエレベータ乗場１２に設けられる乗場撮影手段２、乗場画像送信手段４、及び２次元コード表示部３と、情報センタ５内に設けられる情報センタ送受信部６、情報センタ記憶部７及び情報センタ制御部８と、エレベータ昇降路２１の上部に設けられるエレベータ制御部９と、から構成される。
【００２７】
乗場撮影手段である監視カメラ２は、建物１３の出入口３１のある出入階３２のエレベータ乗場１２に設置され、エレベータ乗場１２の乗客を撮影する。この監視カメラ２は、終日（２４時間）エレベータ乗場１２を撮影する。撮影された画像は、乗場画像送信手段４により公衆通信回線３０を介して情報センタ５の情報センタ送受信部６に送信される。
【００２８】
図２に、エレベータ乗場１２の乗場操作盤１６の一つの例を示す。一般的には乗場操作盤１６には、乗車階の呼び登録を行う乗場呼び釦１７及びエレベータかご位置表示部１８が設けられる。２次元コード表示部３は、乗場操作盤１６の任意の位置に設置される。この２次元コード表示部３は、乗客が携帯電話で読み取れるものであれば、２次元コード１９が印刷されたシールを貼り付けたものであっても良く、２次元コード１９が印刷された板を乗場操作盤１６に固定したものであっても良い。この２次元コード１９には、情報センタ５の電子メールアドレスとエレベータ１４の識別情報とが書き込まれる。
【００２９】
情報センタ５は、エレベータの乗客に対する安全性、エレベータの運行の正常性などを常に確保するために、広域の遠隔監視サービスを行うものであり中央監視センタとも呼ばれる。この情報センタ５は、情報センタ送受信部６、情報センタ記憶部７、及び情報センタ制御部８から構成される。情報センタ送受信部６は、乗場画像送信手段４から送信された画像を受信し、２次元コード表示部３の２次元コード１９を読み取った携帯電話から情報センタ５に送信された空メールを受信する。情報センタ記憶部７は、建物１３の利用者２２により予め登録された、第１携帯電話及び第２携帯電話の識別情報である電子メールアドレスを対として記憶する。情報センタ制御部８は、情報センタ送受信部６が受信した空メールを送信した携帯電話の電子メールアドレスを情報センタ記憶部７に記憶されている第２携帯電話の電子メールアドレスのリストから検索する。そして、情報センタ制御部８は、そのエレベータ１４を動作させるエレベータ制御部９にエレベータ１４の動作を指示する。
【００３０】
エレベータ制御部９は、エレベータ昇降路２１の上部に設置され、情報センタ制御部８からの指示に従ってエレベータ扉１５の開閉や運行などの動作を制御する。
【００３１】
次に、このエレベータ監視システム１の動作を説明する。まず、建物１３の利用者２２は、利用者２２が所持する第１携帯電話と、来訪者２３が所持する第２携帯電話とを、予め情報センタ５に登録しておく。この利用者２２及び来訪者２３とは、例えば、オフィスビルのテナントの社員と来客或いは他社の営業マン、又はマンションの居住者と知人或いは訪問販売員といった組合せである。
【００３２】
図３に、情報センタ５における利用者２２及び来訪者２３の携帯電話の登録方法を示す。建物１３の利用者２２は、自分の携帯電話を第１携帯電話１０として予め情報センタ５に登録をする。すなわち、情報センタ制御部８は、この利用者２２の携帯電話の電子メールアドレス３３を、情報センタ記憶部７のデータベース３５の第１携帯電話１０の欄に記憶させる。さらに、利用者２２は、その利用者２２へ訪れる可能性のある来訪者２３を予め情報センタ５の情報センタ記憶部７に記憶させることで登録する。この登録は、利用者２２が、来訪者２３からの電子メールを情報センタ５に転送することで完了する。すなわち、情報センタ５の情報センタ制御部８は、受信した第１携帯電話１０に含まれる転送元の電子メールアドレス３４を第１携帯電話１０と対となる第２携帯電話１１として情報センタ記憶部７のデータベース３５の第２携帯電話１１の欄に記憶させる。このようにして、情報センタ記憶部７のデータベース３５には、利用者２２の携帯電話１０の電子メールアドレス３３と、来訪者２３の携帯電話１１の電子メールアドレス３４とが対となって記憶される。
【００３３】
図４は、来訪者２３による情報センタ５へのアクセスから、来訪者２３が利用者２２に通知されるまでのエレベータ監視システム１の動作を示す。来訪者２３は、例えば、建物１３の出入階３２のエレベータ乗場１２に到着すると、第２携帯電話１１を用いて乗場操作盤１６に設置された２次元コード表示部３に書き込まれた２次元コード１９を読み取る。この２次元コード１９には、図４に示すように、情報センタ５の電子メールアドレス２４、エレベータ識別情報２５、及び２次元コード設置階情報２６が書き込まれている。来訪者２３は、２次元コード１９を読み取った第２携帯電話１１から、公衆通信回線３０を介して情報センタ５に対して空メール２７を送信する。この空メール２７には、自動的にエレベータ識別情報２５及び２次元コード設置階情報２６が含まれる。また、来訪者２３は、エレベータ１４を降車する階を呼び登録情報２９として伝達するため、空メール２７に降車階の数字を入力する。この数字も空メール２７により情報センタ５に送信される。
【００３４】
また、監視カメラ２はエレベータ乗場１２の画像を撮影して乗場画像２８とし、公衆通信回線３０を介して情報センタ５の情報センタ送受信部６に伝送する。この乗場画像２８には来訪者２３が撮影されている。
【００３５】
来訪者２３から発信された空メール２７は、情報センタ送受信部６により受信される。情報センタ制御部８は、空メール２７を発信した携帯電話の識別情報である電子メールアドレス３４について、情報センタ記憶部７に記憶されている第２携帯電話１１の電子メールアドレス３４のデータベース３５を検索する。そして、情報センタ制御部８は、空メール２７を発信した携帯電話１１の電子メールアドレス３４が、情報センタ記憶部７に記憶されている第２携帯電話１１の電子メールアドレス３４である場合には、情報センタ送受信部６に対して、一定時間の間エレベータ乗場１２の乗場画像２８を電子メール３６に添付して対となる利用者２２の第１携帯電話１０に送信させる。
【００３６】
図５は、情報センタ５からの通知に対して利用者２２が応答し、エレベータ１４が動作するまでのエレベータ監視システム１の動作を示す。利用者２２は、上述した電子メール３６により来訪者２３が撮影されている乗場画像２８を確認する。そして、利用者２２は、来訪者２３の訪問を許可する場合には、電子メール３６に対する返信メール３７を情報センタ５の情報センタ送受信部６に返信する。この返信メール３７は、空メールであっても良い。利用者２２は、来訪者２３の訪問を許可しない場合には、電子メール３６に対する返信メール３７を情報センタ５の情報センタ送受信部６に送信しない。例えば、利用者２２は、来訪者２３を予め登録してあっても、来訪者２３が来訪したときに外出している場合がある。利用者２２は、外出先でこの電子メール３６を受信して来訪者２３の来訪を知ることができる。そして返信メール３７を送信しないことで来訪者２３の訪問を回避できる。
【００３７】
これにより、利用者２２は、在宅或いは外出に拘わらず来訪者２３があった場合には、情報センタ５から乗場画像２８を受信し、来客の訪問の許可或いは不許可を指示することができる。また、利用者２２は、自分への来客者２２の画像を携帯電話１１に保存することができることから、万が一犯罪に巻き込まれた場合であっても証拠画像を容易に再生することができる。
【００３８】
図５に示すように、情報センタ制御部８は、利用者２２による来訪者２３の訪問を許可する返信メール３７を受信すると、空メール２７に含まれるエレベータ識別情報２５及び２次元コード設置階情報２６から、そのエレベータ１４及び乗場において呼び登録された降車階を特定することができる。そして、情報センタ制御部８は、空メール２７に含まれる２次元コード設置階情報２６から判断される乗車階情報３８と、空メール２７に入力された呼び登録情報２９の数字から判断される降車階情報３９とを、公衆通信回線３０を介してエレベータ制御部９に送信する。エレベータ制御部９は、この指令に基づいてエレベータかご２０を動作させる。このように、来訪者２３は、エレベータ乗場１２の呼び釦１７を押すことなくエレベータかご２０の乗車階の呼び登録を行うことができ、第２携帯電話１１から発信する空メール２７に数字を入力することで降車階の呼び登録をすることができる。
【００３９】
ここで、このエレベータ警備システム１を利用者２２が利用する場合の動作について説明する。利用者２２は、建物１３の出入口３１のある出入階３２のエレベータ乗場１２に到着すると、第１携帯電話１０を用いて乗場操作盤１６に設置された２次元コード表示部３の２次元コード１９を読み取る。そして、利用者２２は、２次元コード１９を読み取った第１携帯電話１０から、公衆通信回線３０を介して情報センタ５に対して空メール２７を送信する。また、利用者２２は、エレベータ１４を降車する階を呼び登録情報２９として伝達するため、空メール２７に降車階の数字を入力する。
【００４０】
情報センタ制御部８は、空メール２７を発信した携帯電話１０の識別情報である電子メールアドレス３３について、情報センタ記憶部７に記憶されている第１携帯電話１０の電子メールアドレス３３を検索する。そして、情報センタ制御部８は、空メール２７を発信した携帯電話の電子メールアドレス３３が、情報センタ記憶部７に記憶されている第１携帯電話１０の電子メールアドレス３３であることを確認する。この場合には、情報センタ制御部８は、情報センタ送受信部６に対してエレベータ乗場１２の乗場画像２８の送信を行わせない。そして、情報センタ制御部８は、空メール２７に含まれる２次元コード設置階情報２６から判断される乗車階情報３８と、空メール２７に入力された呼び登録情報２９の数字から判断される降車階情報３９とを、公衆通信回線３０を介してエレベータ制御部９に送信する。エレベータ制御部９は、この指令に基づいてエレベータかご２０を動作させる。
【００４１】
図６に、登録されていない来訪者２３に対するエレベータ警備システム１の動作を示す。情報センタ制御部８は、空メール２７を発信した携帯電話の電子メールアドレス３４が、情報センタ記憶部７に記憶されている第１携帯電話１０又は第２携帯電話１１でない場合には、来訪者２３へ返信メール４０を送信する。この返信メール４０には、例えば、「あなたの電子メールアドレスは登録されていません」といった定型文が書き込まれる。そして、行き先の利用者２２に対して第１携帯電話１０と対となる第２携帯電話１１として登録させるように来訪者２３に要求する。利用者２２は、来訪者２３の携帯電話１１から発信された電子メールを第１携帯電話１０により情報センタ送受信部６に転送メール４２として送信する。これにより、来訪者２３の携帯電話１１の電子メールアドレス３４が情報センタ５に送信される。そして、情報センタ制御部８は、この転送メール４２により、来訪者２３の携帯電話１１を第１携帯電話１０と対となる第２携帯電話１１として情報センタ記憶部７に記憶させる。情報センタ制御部８は、空メール２７の携帯電話と、第１携帯電話１０から転送された第２携帯電話１１とが一致した場合には、情報センタ送受信部６に対して、一定時間の間エレベータ乗場１２の画像を第１携帯電話１０に送信させる。
【００４２】
図７に、エレベータかご２０の呼び登録についての他の実施形態を示す。本実施形態では、利用者２２は、予め情報センタ５に利用者２２の居住階４１を登録しておく。情報センタ制御部８は、情報センタ記憶部７にこの居住階４１を利用者２２の第１携帯電話１０と対として記憶させる。情報センタ制御部８は、第２携帯電話１１から発信された空メール２７について、呼び登録された乗車階が出入階３２である場合には、第２携帯電話１１と対となる利用者２２の居住階４１に呼び登録されたと判断してエレベータ制御部９にエレベータ１４の動作を指示する。また、情報センタ制御部８は、第２携帯電話１１から発信された空メール２７について、来訪者２３の携帯電話１１により呼び登録された乗車階が利用者２２の居住階４１である場合には、出入階３２に呼び登録されたと判断してエレベータ制御部９にエレベータ１４の動作を指示する。
【００４３】
これにより、来訪者２３は、空メール２７に呼び登録情報２９を入力しなくとも自動的に降車階の呼び登録をすることができる。また、利用者２２は、来訪者２３が間違えて他の階に降車するのを防止することができる。さらに、建物１３全体として、来訪者２３を利用者２２の居住階に直接往復させることができ、警備システムとしてのメリットが発生する。
【図面の簡単な説明】
【００４４】
【図１】本発明に係るエレベータ警備システムの１つの実施形態の概略構成を示すブロック図である。
【図２】エレベータ乗場の乗場操作盤の１つの例を示す説明図である。
【図３】情報センタにおける利用者及び来訪者の携帯電話の登録方法を示す説明図である。
【図４】来訪者による情報センタへのアクセスから、来訪者が利用者に通知されるまでのエレベータ監視システムの動作を示す説明図である。
【図５】情報センタからの通知に対して利用者が応答するまでのエレベータ監視システムの動作を示す説明図である。
【図６】登録されていない来訪者に対するエレベータ警備システムの動作を示す説明図である。
【図７】エレベータかごの呼び登録についての他の実施形態を示す説明図である。
【符号の説明】
【００４５】
１  エレベータ警備システム、２  乗場撮影手段（監視カメラ）、３  ２次元コード表示部、４  乗場画像送信手段、５  情報センタ、６  情報センタ送受信部、７  情報センタ記憶部、８  情報センタ制御部、９  エレベータ制御部、１０  第１携帯電話、１１  第２携帯電話、１２  エレベータ乗場、１３  建物、１４  エレベータ、１５  エレベータ扉、１６  乗場操作盤、１７  乗場呼び釦、１８  エレベータかご位置表示部、１９  ２次元コード、２０  エレベータかご、２１  エレベータ昇降路、２２  利用者、２３  来訪者、２４  情報センタの電子メールアドレス、２５  エレベータ識別情報、２６  ２次元コード設置階情報、２７  空メール、２８  乗場画像、２９  呼び登録情報、３０  公衆通信回線、３１  出入口、３２  出入階、３３  利用者の携帯電話の電子メールアドレス、３４  来訪者の携帯電話の電子メールアドレス、３５  データベース、３６  電子メール、３７  利用者への返信メール、３８  乗車階情報、３９  降車階情報、４０  来訪者への返信メール、４１  居住階、４２  転送メール。
【図１】
0004933384.tif 000002
【図２】
0004933384.tif 000003
【図３】
0004933384.tif 000004
【図４】
0004933384.tif 000005
【図５】
0004933384.tif 000006
【図６】
0004933384.tif 000007
【図７】
0004933384.tif 000008